(57)【特許請求の範囲】
【請求項１】
ねじ溝を有しかつ回転駆動されるねじ軸と、
前記ねじ軸のねじ溝に噛み合うねじ部を備えかつねじ軸の軸方向に沿って変位するとともに前記ねじ軸に対し接離自在に設けられる変位部材と、
前記変位部材と連動して前記ねじ軸の軸方向に沿って変位するピックアップ部と、
前記ねじ軸を回転自在に支持する軸受部と、
前記変位部材を前記ねじ軸から離脱することを規制する規制手段と、を備え、
前記軸受部は、前記変位部材から離れる方向に前記ねじ軸が変位することを許容し、
前記規制手段は、前記ピックアップ部と連動して変位するとともに、前記ねじ軸の外周側でかつ前記変位部材の前記ねじ軸からの距離を前記ねじ軸から離脱しない範囲に保つ位置に配された規制片であることを特徴とするピックアップの送り機構。
【請求項２】
前記変位部材を前記ねじ軸に向かって付勢する付勢手段を備えたことを特徴とする請求項１記載のピックアップの送り機構。
【請求項３】
ねじ溝を有しかつ回転駆動されるねじ軸と、
前記ねじ軸のねじ溝に噛み合うねじ部を備えかつねじ軸の軸方向に沿って変位する変位部材と、
前記変位部材と連動して前記ねじ軸の軸方向に沿って変位するピックアップ部と、
前記ねじ軸を回転自在に支持する軸受部と、を備え、
前記軸受部は、前記変位部材から離れる方向に前記ねじ軸が変位することを許容するとともに、
前記軸受部は前記ねじ軸の一端部を回転自在に支持する第１の軸受と前記ねじ軸の他端部を回転自在に支持する第２の軸受とを備え、
前記第１の軸受は前記一端部が侵入可能な孔とこの孔の外縁部に設けられかつ前記ねじ軸の他端部に向かうにしたがって徐々に孔の外方向に向かって傾斜したテーパ面とを備え、
前記第２の軸受は前記一端部に向かって前記他端部を付勢するとともに前記一端部が前記孔内から抜け出ることを許容することを特徴とするピックアップの送り機構。
【請求項４】
前記第２の軸受は互いの間に前記他端部を保持しかつ前記ねじ軸の回転を許容する一対の支持突起と前記他端部に位置する端面を前記一端部に向かって付勢するばね片とを備えたことを特徴とする請求項３記載のピックアップの送り機構。
【発明の詳細な説明】
【０００１】
【発明の属する技術分野】
本発明は、各種のディスク状記録媒体駆動装置に用いられる光ピックアップなどをスライド移動させるピックアップの送り機構に関する。
【０００２】
【従来の技術】
例えば、光ディスクなどのディスク状記録媒体に記録された情報を取り出すディスク状記録媒体駆動装置は、前記情報を取り出すための光学式のピックアップを備えている。前記ピックアップは、前記ディスク状記録媒体の表面に相対向して配されるとともに、ディスク状記録媒体の径方向に沿ってスライド移動自在に設けられている。
【０００３】
前記ピックアップをディスク状記録媒体の径方向に沿ってスライド移動自在させるために、例えば、特開平１１−１４９７２８号公報や、特開平１１−１８５４０７号公報などに記載された送り機構が用いられてきた。前記送り機構は、駆動源としてのモータと、このモータにより回転駆動されるねじ軸と、前記ピックアップと連動して変位可能なナットと、付勢手段と、を備えている。
【０００４】
前記モータは、ねじ軸を軸回りに回転させる。前記ねじ軸は、一方向に沿って延在した棒状に形成されかつ外周面にねじ溝を備えている。ナットは、前記ねじ軸のねじ溝と噛み合った状態で配されている。ナットは、前記ねじ軸に対し接離自在に設けられている。付勢手段は、前記ナットを前記ねじ軸に向かって付勢する。
【０００５】
前述した構成の従来の送り機構は、モータがねじ軸を回転させて、ナットをねじ軸の軸方向に沿って変位させることで、ピックアップをディスク状記録媒体の径方向に沿って移動させる。
【０００６】
前記従来の送り機構は、前記モータが暴走などして、前記ナットがねじ軸の端に位置した際に、ねじ軸のねじ溝とナットのねじ溝とが互いに当接して、前記付勢手段の付勢力に抗してナットがねじ軸から離れる方向に押圧されて変位する。そして、ナットとねじ軸との間の噛み合いが外れる。
【０００７】
【発明が解決しようとする課題】
前述した構成の従来の送り機構は、前記付勢手段の付勢力が比較的強い場合には、前記ねじ軸のねじ溝とナットとの間の摩擦抵抗が大きくなる。このとき、前記モータは比較的高いトルクの回転駆動力を発生する必要が生じ、大型化する傾向となっていた。
【０００８】
一方、前記付勢手段の付勢力が比較的弱い場合には、前記ねじ軸のねじ溝とナットとの間の摩擦抵抗などによってナットがねじ軸のねじ溝から外れてしまうことが多く生じることとなる。このため、ねじ軸の回転中にナットとねじ軸との噛み合いが外れて、所定の位置までピックアップを移動させることが困難となることがあった。
【０００９】
このように、前述した従来の送り機構では、付勢手段の付勢力やモータなどに必要な回転駆動力などの、機構設計を行う際の制約が多く、自由度が極めて狭くなる傾向であった。
【００１０】
したがって、本発明の目的は、機構設計に対する制約を抑制することが可能なピックアップの送り機構を提供することにある。
【００１１】
【課題を解決するための手段】
前記課題を解決し目的を達成するために、請求項１に記載の本発明のピックアップの送り機構は、ねじ溝を有しかつ回転駆動されるねじ軸と、前記ねじ軸のねじ溝に噛み合うねじ部を備えかつねじ軸の軸方向に沿って変位するとともに前記ねじ軸に対し接離自在に設けられる変位部材と、前記変位部材と連動して前記ねじ軸の軸方向に沿って変位するピックアップ部と、前記ねじ軸を回転自在に支持する軸受部と、前記変位部材を前記ねじ軸から離脱することを規制する規制手段と、を備え、前記軸受部は、前記変位部材から離れる方向に前記ねじ軸が変位することを許容し、前記規制手段は、前記ピックアップ部と連動して変位するとともに、前記ねじ軸の外周側でかつ前記変位部材の前記ねじ軸からの距離を前記ねじ軸から離脱しない範囲に保つ位置に配された規制片であることを特徴としている。
【００１３】
請求項２に記載の本発明のピックアップの送り機構は、請求項１記載のピックアップの送り機構において、前記変位部材を前記ねじ軸に向かって付勢する付勢手段を備えたことを特徴としている。
【００１５】
請求項３に記載の本発明のピックアップの送り機構は、ねじ溝を有しかつ回転駆動されるねじ軸と、前記ねじ軸のねじ溝に噛み合うねじ部を備えかつねじ軸の軸方向に沿って変位する変位部材と、前記変位部材と連動して前記ねじ軸の軸方向に沿って変位するピックアップ部と、前記ねじ軸を回転自在に支持する軸受部と、を備え、前記軸受部は、前記変位部材から離れる方向に前記ねじ軸が変位することを許容するとともに、前記軸受部は前記ねじ軸の一端部を回転自在に支持する第１の軸受と前記ねじ軸の他端部を回転自在に支持する第２の軸受とを備え、前記第１の軸受は前記一端部が侵入可能な孔とこの孔の外縁部に設けられかつ前記ねじ軸の他端部に向かうにしたがって徐々に孔の外方向に向かって傾斜したテーパ面とを備え、前記第２の軸受は前記一端部に向かって前記他端部を付勢するとともに前記一端部が前記孔内から抜け出ることを許容することを特徴としている。
【００１６】
請求項４に記載の本発明のピックアップの送り機構は、請求項３記載のピックアップの送り機構において、前記第２の軸受は互いの間に前記他端部を保持しかつ前記ねじ軸の回転を許容する一対の支持突起と前記他端部に位置する端面を前記一端部に向かって付勢するばね片とを備えたことを特徴としている。
【００１７】
請求項１に記載した本発明のピックアップの送り機構によれば、変位部材がねじ軸のねじ溝と噛み合っている。ねじ軸が変位部材から離れることを軸受部が許容する。このため、変位部材がねじ軸の端部まで移動してさらに変位部材がねじ軸の端部から外れるようにねじ軸が回転駆動された際に、ねじ軸が変位部材から押圧されて変位部材から離れる方向に変位する。
【００１８】
変位部材がねじ軸に対し接離自在である。このため、変位部材がねじ軸の端部まで移動してさらに変位部材がねじ軸の端部から外れるようにねじ軸が回転駆動された際に、変位部材がねじ溝などから押圧されてねじ軸から離れる方向に変位する。また、変位部材が規制手段によってその変位が規制されているので、ねじ軸が規制手段によって変位が規制された状態の変位部材から押圧されて変位部材から離れる方向に変位する。
【００１９】
このように、変位部材がねじ軸の端部まで移動してさらに変位部材がねじ軸の端部から外れるようにねじ軸が回転駆動された際に、変位部材とねじ軸との双方が互いに離れる方向に変位する。
規制手段としての規制片が、変位部材のねじ軸からの距離をねじ軸から離脱しない即ち噛み合いが外れない範囲内に規制している。このため、変位部材がねじ軸の端部まで移動してさらに変位部材がねじ軸の端部から外れるようにねじ軸が回転駆動された際に、変位部材とねじ軸との双方がより確実に互いに離れる方向に変位する。
【００２０】
請求項２に記載した本発明のピックアップの送り機構によれば、付勢手段が変位部材をねじ軸に向かって付勢するので、ねじ軸のねじ溝と変位部材とが互いに確実に噛み合い、ピックアップ部を所定の位置まで確実に移動させることができる。
【００２２】
請求項３に記載した本発明のピックアップの送り機構によれば、第１の軸受が孔とこの孔の外縁部に設けられたテーパ面を備え、第２の軸受がねじ軸の一端部に向かって他端部を付勢する。テーパ面は、ねじ軸の他端部に向かうにしたがって徐々に孔の外方向に向かって傾斜している。
【００２３】
このため、変位部材がねじ軸の端部まで移動してさらに変位部材がねじ軸の端部から外れるようにねじ軸が回転駆動された際に、変位部材によって押圧されてねじ軸の一端部がテーパ面に沿って変位する。即ち、ねじ軸が、テーパ面に沿って変位部材から離れる方向に変位する。
【００２４】
請求項４に記載した本発明のピックアップの送り機構によれば、第２の軸受の一対の支持突起がねじ軸の回転を許容して他端部を保持し、ばね片が前記他端部に位置する端面を一端部に向かって付勢する。このため、変位部材とねじ軸とが互いに離れる場合以外には、ねじ軸が軸方向に沿って変位することが防止される。
【００２５】
【発明の実施の形態】
本発明の一実施形態を図１ないし図５を参照して説明する。
図１などに示す本発明のピックアップの送り機構１は、例えば、光ディスクなどのディスク状記録媒体などに記録された情報を取り出すためのもので、ＣＤプレーヤなどの前記ディスク状記録媒体の情報を再生するディスク状記録媒体駆動装置などに用いられる。
【００２６】
ピックアップの送り機構１は、図１などに示すように、前記ディスク状記録媒体駆動装置のシャーシ２に取付られている。ピックアップの送り機構１は、図１などに示すように、駆動源としてのモータ１０と、ねじ軸としてのリードスクリュー１１と、ピックアップ部１２と、変位部材１３と、規制手段としての規制片１４と、付勢手段としての圧縮コイルばね１５と、軸受部１６などを備えている。
【００２７】
モータ１０は、シャーシ２の固定されている。モータ１０は、図１及び図３に示すように、その出力軸２１にピニオンギヤ２２を取り付けている。リードスクリュー１１は、図中の一点鎖線Ｐ（以下軸線Ｐと呼ぶ）に沿って延在した棒状に形成されている。軸線Ｐはリードスクリュー１１の軸方向をなしている。リードスクリュー１１は、ねじ溝２３を備えている。ねじ溝２３は、リードスクリュー１１の外表面に形成されている。
【００２８】
リードスクリュー１１は、一端部１１ａが軸受部１６の後述する第１の軸受２４によって回転自在に支持され、かつ他端部１１ｂが後述する第２の軸受２５によって回転自在に支持されている。リードスクリュー１１は、軸受部１６によって回転自在に支持されている。
【００２９】
リードスクリュー１１の他端部１１ｂには、図１及び図３に示すように、ピニオンギヤ２６が取り付けられている。ピニオンギヤ２６はリードスクリュー１１と同軸的に配されている。ピニオンギヤ２６はリードスクリュー１１とともにこのリードスクリュー１１の軸線Ｐ回りに回転する。
【００３０】
前記モータ１０の出力軸２１に取付られたピニオンギヤ２２と、リードスクリュー１１に取り付けられたピニオンギヤ２６と、の双方には、図３などに示すように、伝達歯車２７が噛み合っている。伝達歯車２７は、シャーシ２に回転自在に支持されている。前述した構成によって、モータ１０の回転駆動力は、ピニオンギヤ２２と伝達歯車２７とピニオンギヤ２６とを介してリードスクリュー１１に伝えられて、このリードスクリュー１１を回転させる。
【００３１】
ピックアップ部１２は、前記ディスク状記録媒体に記録された情報を取り出すピックアップ（光ピックアップ）３０と、ケース３１と、一対の案内軸３２，３３と、を備えている。ケース３１は、合成樹脂などからなりかつピックアップ３０を内部に収容している。ケース３１は、ピックアップ３０が前記ディスク状記録媒体に記録された情報を取り出すことを妨げない窓３４を備えている。
【００３２】
案内軸３２，３３は、それぞれ、一方向に沿って延在した丸棒状に形成されている。案内軸３２，３３は、互いに間隔を存した状態で、シャーシ２に固定されている。案内軸３２，３３は、互いに平行でかつリードスクリュー１１に対し平行な状態で配されている。
【００３３】
前記ケース３１は、案内軸３２を通す孔３５と、前記案内軸３３に当接する凹部３６と、を備えている。孔３５は、円形に形成されている。孔３５は、案内軸３２に対する摩擦係数が小さく形成されている。凹部３６は、案内軸３３の外形に沿った円弧状に形成されている。凹部３６は、案内軸３３に対する摩擦係数がは小さく形成されている。
【００３４】
前述した構成によって、ピックアップ部１２は、ケース３１内に収容されたピックアップ３０が、案内軸３２，３３によって、リードスクリュー１１の長手方向に沿って移動自在に支持されている。
【００３５】
変位部材１３は、図１及び図２などに示すように、帯板状に形成された帯部４０と、ねじ部４１と、を備えている。帯部４０は、長手方向がリードスクリュー１１及び案内軸３２，３３に沿って配されている。帯部４０は、一端部がピックアップ部１２のケース３１に取り付けられている。帯部４０は、他端部がリードスクリュー１１に対し接離するように弾性変形自在となっている。
【００３６】
ねじ部４１は、帯部４０の他端部に設けられている。ねじ部４１は、リードスクリュー１１のねじ溝２３と互いに噛み合うねじ山４２を備えている。ねじ部４１のねじ山４２は、帯部４０の一端部がケース３１に取り付けられると、リードスクリュー１１のねじ溝２３に噛み合う。ねじ部４１は、リードスクリュー１１に対し接離自在となっている。
【００３７】
また、ねじ部４１のリードスクリュー１１から離れた側に位置する表面（以下背面と呼ぶ）４１ａには、図４などに示すように、凹部４３と凸部４６とが設けられている。凹部４３は、ねじ部４１の背面４１ａから凹に形成されている。凸部４６は凹部４３の底から凸に形成されている。
【００３８】
規制片１４は、帯状の板金などが折り曲げられるなどして形成されている。規制片１４は剛体に形成されている。即ち、規制片１４は殆ど弾性変形しにくく形成されている。
【００３９】
規制片１４は、図４などに示すように、一端部がケース３１に取り付けられているとともに、変位部材１３のねじ部４１の背面４１ａに相対する規制壁４４を備えている。即ち、規制壁４４はリードスクリュー１１の外周側に配されている。規制壁４４は、変位部材１３のリードスクリュー１１からの距離をリードスクリュー１１から離脱しない範囲に保つ位置に配されている。規制壁４４は、ねじ部４１の背面に沿った平板状に形成されている。規制壁４４には、前記ねじ部４１の背面に向かって突出した凸部４５が設けられている。
【００４０】
規制片１４は、後述するように圧縮コイルばね１５がねじ部４１の背面４１ａとの間に配された際に、変位部材１３の他端部がリードスクリュー１１から離れる方向に変位すると、規制壁４４が圧縮コイルばね１５などを介してねじ部４１と当接する。そして、規制壁４４は、ねじ部４１がリードスクリュー１１のねじ溝２３との噛み合いを外れないように、変位部材１３の他端部のリードスクリュー１１からの距離を規制する。
【００４１】
圧縮コイルばね１５は、図４などに示すように、変位部材１３のねじ部４１の背面４１ａと規制片１４の規制壁４４との間に配されている。圧縮コイルばね１５は、一端部が凹部４３内に挿入されかつ内側に凸部４６が挿入されて支持されている。圧縮コイルばね１５は、他端部が内側に凸部４５が挿入されて支持されている。圧縮コイルばね１５は、ねじ部４１即ち変位部材１３の他端部をリードスクリュー１１に向かって付勢している。
【００４２】
軸受部１６は、リードスクリュー１１を回転自在に支持する。軸受部１６は、リードスクリュー１１の一端部１１ａを回転自在に支持する第１の軸受２４と、リードスクリュー１１の他端部１１ｂを回転自在に支持する第２の軸受２５と、を備えている。
【００４３】
第１の軸受２４は、図２などに示すように、シャーシ２から立設した壁５１と、この壁５１の表面から凹に形成された孔５２と、孔５２の外縁部に形成されたテーパ面５３と、を備えている。孔５２は、その平面形状が丸形に形成されている、孔５２は、その内側にリードスクリュー１１の一端部１１ａを収容する。
【００４４】
テーパ面５３は、孔５２の全周に亘って形成されている。テーパ面５３は、収容したリードスクリュー１１の軸線Ｐを含んだ断面において、図２に示すように、一端部１１ａを収容したリードスクリュー１１の他端部１１ｂの向かうにしたがって、徐々に孔５２の内径を拡げるように、軸線Ｐに対し傾いている。即ち、テーパ面５３は、リードスクリュー１１の他端部１１ｂの向かうにしたがって、徐々に孔５２の外方向に向かって軸線Ｐに対し傾いている。
【００４５】
第２の軸受２５は、図３に示すように、シャーシ２から立設した一対の支持突起５４と、ばね片５５と、を備えている。一対の支持突起５４は、互いの間にリードスクリュー１１の他端部１１ｂを保持して回転自在に支持する。
【００４６】
ばね片５５は、帯板状に形成されており、長手方向がリードスクリュー１１及び案内軸３２，３３が互いに並設する方向に沿った状態で配されている。ばね片５５は、一端部がシャーシ２に固定されているとともに、他端部がリードスクリュー１１の他端部１１ｂに位置する端面１１ｃに相対している。
【００４７】
ばね片５５は、他端部がリードスクリュー１１の端面１１ｃから接離するように弾性変形自在となっている。ばね片５５は、リードスクリュー１１の端面１１ｃ即ち他端部１１ｂを一端部１１ａに向かって付勢する。ばね片５５は、一端部１１ａが孔５２内から抜け出る方向にリードスクリュー１１が変位するのを許容する。
【００４８】
また、第２の軸受２５のばね片５５が端面１１ｃを一端部１１ａに向かって付勢することによって、リードスクリュー１１は孔５２内に侵入する。リードスクリュー１１は、孔５２内に侵入すると変位部材１３のねじ部４１のねじ山４２と噛み合った状態に保たれる。このように、軸受部１６は、リードスクリュー１１を変位部材１３と噛み合った状態に付勢する。
【００４９】
さらに、第２の軸受２５の一端部１１ａが孔５２内から抜け出る方向にリードスクリュー１１が変位するのを許容する際に、変位部材１３などから押圧されると一端部１１ａがテーパ面５３に沿って変位して、リードスクリュー１１は変位部材１３から離れる方向に変位する。このように、軸受部１６は、リードスクリュー１１が変位部材１３から離れる方向に変位することを許容する。
【００５０】
前述した構成によればピックアップの送り機構１は、モータ１０が駆動してリードスクリュー１１を例えば図４中の矢印Ｍ１に沿って回転させる。すると、リードスクリュー１１の回転に連動して、ねじ溝２３と噛み合ったねじ部４１を有した変位部材１３がリードスクリュー１１及び案内軸３２，３３に沿う例えば図１中の矢印Ｓ１に沿って移動する。
【００５１】
そして、変位部材１３がリードスクリュー１１に沿って移動すると、規制片１４及びピックアップ部１２即ちピックアップ３０も移動する。このように、規制片１４及びピックアップ部１２は、変位部材１３がスライド移動するのに連動して変位する。
【００５２】
一方、モータ１０が駆動してリードスクリュー１１を矢印Ｍ１と逆向きの矢印Ｍ２（図４に示す）に沿って回転させると、リードスクリュー１１の回転に連動して変位部材１３がリードスクリュー１１などに沿う矢印Ｓ２（図１に示す）に沿って移動する。このように、前述した構成のピックアップの送り機構１は、前記モータ１０を回転駆動することによって、ピックアップ３０を、リードスクリュー１１に沿った所定の位置に移動させる。
【００５３】
また、例えば、変位部材１３が、図５に示すように、リードスクリュー１１の一端部１１ａまで移動して、一端部１１ａから外れるようにリードスクリュー１１がさらに回転された際に、変位部材１３は、リードスクリュー１１のねじ溝２３などから図５中の矢印Ｏ１に沿って押圧される。変位部材１３が、圧縮コイルばね１５の付勢力に抗してリードスクリュー１１から矢印Ｏ１に沿って離れる方向に変位する。
【００５４】
また、変位部材１３が規制片１４によってねじ軸から離脱しない即ち噛み合いが外れない範囲内にねじ軸からの距離が規制されているので、リードスクリュー１１は変位部材１３から図５中の矢印Ｏ２に沿って押圧される。リードスクリュー１１は一端部１１ａが変位部材１３から離れる方向に変位しようとする。
【００５５】
このとき、ばね片５５によって他端部１１ｂが一端部１１ａに向かって付勢されかつ一端部１１ａが孔５２から抜け出ることを許容されているので、一端部１１ａがテーパ面５３に沿って変位部材１３から離れる方向に変位する。ばね片５５の付勢力に抗して一端部１１ａがテーパ面５３に沿って変位部材１３から離れる方向に変位する。
【００５６】
このように、本実施形態のピックアップの送り機構１は、変位部材１３がリードスクリュー１１の一端部１１ａまで移動して、変位部材１３が一端部１１ａから外れるようにリードスクリュー１１が回転された際には、変位部材１３とリードスクリュー１１とが互いに離れる方向に変位する。
【００５７】
本実施形態によれば、変位部材１３が一端部１１ａから外れるようにリードスクリュー１１が回転駆動された際に、変位部材１３とリードスクリュー１１とが互いに離れる方向に変位する。このため、圧縮コイルばね１５が変位部材１３をリードスクリュー１１に向かって付勢する付勢力を強くしなくても変位部材１３とリードスクリュー１１とを互いに確実に噛み合わせることができる。したがって、圧縮コイルばね１５の付勢力を強くする必要が生じないので、モータ１０の大型化を抑制できる。
【００５８】
また、変位部材１３が一端部１１ａから外れるようにリードスクリュー１１が回転駆動された際に、変位部材１３とリードスクリュー１１との双方が互いに離れる方向に変位するので、圧縮コイルばね１５の付勢力を必要以上に弱くしなくても、リードスクリュー１１と変位部材１３との間の噛み合いを確実に外すことができる。
【００５９】
このため、圧縮コイルばね１５の付勢力を強くする必要が生じないとともに、弱くする必要が生じない。したがって、圧縮コイルばね１５の付勢力に対する要求事項が少なくなり、機構設計に対する制約を抑制することができる。
【００６０】
さらに、変位部材１３が規制片１４によってねじ軸から離脱しない即ち噛み合いが外れない範囲内にねじ軸からの距離が規制されている。このため、圧縮コイルばね１５の付勢力を弱くしてもリードスクリュー１１と変位部材１３とが互いに噛み合った状態に保つことができ、ピックアップ３０を所定の位置まで確実に移動させることができる。
【００６１】
また、軸受部１６の第１の軸受２４が孔５２とこの孔５２の外縁部に設けられたテーパ面５３を備え、第２の軸受２５がリードスクリュー１１の一端部１１ａに向かって他端部１１ｂを付勢する。テーパ面５３は、リードスクリュー１１の他端部１１ｂに向かうにしたがって徐々に孔５２の内径を拡げるように傾斜している。
【００６２】
このため、変位部材１３が一端部１１ａから外れるようにリードスクリュー１１が回転駆動された際に、リードスクリュー１１の一端部１１ａがテーパ面５３に沿って変位部材１３から離れる方向に変位する。したがって、圧縮コイルばね１５の付勢力に対する要求事項がより一層確実に少なくなり、機構設計に対する制約をより一層抑制できる。
【００６３】
さらに、一対の支持突起５４がリードスクリュー１１の回転を許容して他端部１１ｂを保持し、ばね片５５が前記端面１１ｃを一端部１１ａに向かって付勢している。このため、リードスクリュー１１と変位部材１３とが互いに離れる方向に変位する際以外には、リードスクリュー１１が軸方向に沿って変位することが防止される。したがって、ピックアップ部１２を所定の位置まで確実に移動させることができる。
【００６４】
なお、本発明では、変位部材１３として従来より周知の半欠け状のハーフナットを用いることができるのは勿論である。この場合、ハーフナットのねじ溝は、リードスクリュー１１のねじ溝２３と噛み合う。
【００６５】
【発明の効果】
以上説明したように請求項１に記載の本発明によれば、変位部材がねじ軸の端部まで移動してさらに変位部材がねじ軸の端部から外れるようにねじ軸が回転駆動された際に、ねじ軸が変位部材から離れる方向に変位する。このため、変位部材をねじ軸に付勢する付勢力を強くしなくても変位部材とねじ軸とを互いに確実に噛み合わせることができる。したがって、ねじ軸を回転駆動する駆動源の大型化を抑制できる。
【００６６】
また、変位部材がねじ軸の端部から外れるようにねじ軸が回転駆動された際に、ねじ軸が変位部材から離れる方向に変位するので、変位部材をねじ軸に付勢する付勢力を必要以上に弱くしなくても、ねじ軸と変位部材との間の噛み合いを外すことができる。
【００６７】
このため、変位部材をねじ軸に付勢する付勢力を強くする必要が生じないとともに、弱くする必要が生じない。したがって、変位部材をねじ軸に付勢する付勢力に対する要求事項が少なくなり、機構設計に対する制約を抑制することができる。
【００６８】
変位部材がねじ軸に対し接離自在であるので、変位部材がねじ軸の端部から外れるようにねじ軸が回転駆動された際に、変位部材とねじ軸との双方が互いに離れる方向に変位する。このため、変位部材をねじ軸に付勢する付勢力を強くしなくても変位部材とねじ軸とを互いに確実に噛み合わせることができる。変位部材をねじ軸に付勢する付勢力を必要以上に弱くしなくても、ねじ軸と変位部材との間の噛み合いを外すことができる。
【００６９】
さらに、変位部材がねじ軸から離脱しないように規制手段によって規制されているので、付勢手段の付勢力を弱くしてもねじ軸と変位部材とを互いに噛み合った状態に保ち、ピックアップ部を所定の位置まで確実に移動させることができる。したがって、変位部材をねじ軸に付勢する付勢力に対する要求事項が少なくなり、機構設計に対する制約を抑制することができるとともに、ピックアップ部を所定の位置まで確実に移動させることができる。
変位部材のねじ軸からの距離がねじ軸との噛み合いが外れない範囲内に規制されている。このため、変位部材がねじ軸の端部から外れるようにねじ軸が回転駆動された際に、変位部材とねじ軸との双方がより確実に互いに離れる方向に変位する。
このため、変位部材をねじ軸に付勢する付勢力を強くする必要もなく弱くする必要もない。さらに、規制片が、ねじ軸との噛み合いが外れない範囲内に変位部材のねじ軸からの距離を規制しているので、前記付勢力を弱くしてもねじ軸と変位部材とが互いに噛み合った状態に保つことができ、ピックアップを所定の位置まで確実に移動させることができる。
したがって、変位部材をねじ軸に付勢する付勢力に対する要求事項がより確実に少なくなり、機構設計に対する制約をより抑制することができる。
【００７０】
請求項２に記載の本発明によれば、付勢手段が変位部材をねじ軸に向かって付勢するのでねじ軸のねじ溝と変位部材とが互いに確実に噛み合う。したがって、機構設計の際の制約を抑制できることにくわえ、ピックアップ部を所定の位置まで確実に移動させることができる。
【００７４】
請求項３に記載の本発明によれば、変位部材がねじ軸の端から外れるようにねじ軸が回転駆動された際に、ねじ軸が、テーパ面に沿って変位部材から離れる方向に変位する。このため、変位部材とねじ軸との双方がより一層確実に互いに離れる方向に変位する。
【００７５】
したがって、変位部材をねじ軸に付勢する付勢力を強くする必要もなく弱くする必要もなくなる。変位部材をねじ軸に付勢する付勢力に対する要求事項がより一層確実に少なくなり、機構設計に対する制約をより一層抑制することができる。
【００７６】
請求項４に記載の本発明によれば、一対の支持突起がねじ軸の回転を許容してねじ軸の他端部を保持し、ばね片が前記他端部に位置する端面を一端部に向かって付勢する。
【００７７】
したがって、変位部材をねじ軸に付勢する付勢力に対する要求事項がより一層確実に少なくなって機構設計の制約を抑制できることにくわえ、変位部材とねじ軸とが互いに離れる場合以外には、ねじ軸が軸方向に沿って変位することが防止される。このため、ピックアップ部を所定の位置まで確実に移動させることができる。
【図面の簡単な説明】
【図１】本発明の一実施形態にかかるピックアップの送り機構を示す平面図である。
【図２】同実施形態のピックアップの送り機構のリードスクリューの一端部が支持された箇所を拡大して示す平面図である。
【図３】同実施形態のピックアップの送り機構のリードスクリューの他端部が支持された箇所を拡大して示す平面図である。
【図４】図１中のＩＶ―ＩＶ線に沿う断面図である。
【図５】同実施形態のピックアップの送り機構のリードスクリューの一端部と変位部材との双方が互いに離れる状態を示す平面図である。
【符号の説明】
１  ピックアップの送り機構
１１  リードスクリュー（ねじ軸）
１１ａ  一端部
１１ｂ  他端部
１１ｃ  端面
１２  ピックアップ部
１３  変位部材
１４  規制片（規制手段）
１５  圧縮コイルばね（付勢手段）
１６  軸受部
２３  ねじ溝
２４  第１の軸受
２５  第２の軸受
４１  ねじ部
５２  孔
５３  テーパ面
５４  支持突起
５５  ばね片
Ｐ  軸線（軸方向）
【図１】
0003842946.tif 000002
【図２】
0003842946.tif 000003
【図３】
0003842946.tif 000004
【図４】
0003842946.tif 000005
【図５】
0003842946.tif 000006